【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
複数のジョブのデータを記憶可能な記憶手段内のデータの印刷処理を実行可能な印刷手段を具備する印刷装置の前記印刷手段から、前記印刷手段で印刷がなされたジョブのシートに対するシート処理を実行可能なシート処理手段を具備するシート処理装置の前記シート処理手段へ、前記印刷手段による印刷処理がなされたジョブのシートを供給可能な印刷システムであって、
前記印刷手段による印刷処理を要し且つ該印刷処理により印刷がなされたシートに対するシート処理を要する、第１ジョブの後に受付けた第２ジョブを含む複数のジョブを受付けた場合で、且つ、前記第１ジョブにて要するシート処理が前記印刷システムにて実行中である場合に、前記第２ジョブにて要する印刷処理を前記印刷手段により実行可能にする、制御手段を有することを特徴とする印刷システム。
【請求項２】
請求項１記載の印刷システムであって、
前記制御手段は、
前記第1ジョブと前記第２ジョブが特定の条件を満たす場合に、前記第１ジョブにて要するシート処理の実行中に前記第２ジョブにて要する印刷処理を前記印刷手段により実行させることを許可し、
前記第1ジョブと前記第２ジョブが前記特定の条件を満たさない場合に、前記第１ジョブにて要するシート処理の実行中に前記第２ジョブにて要する印刷処理を前記印刷手段により実行させることを禁止する、ことを特徴とする印刷システム。
【請求項３】
請求項１又は２記載の印刷システムであって、
前記制御手段は、
前記第１ジョブが、前記印刷手段による該第1ジョブのデータの印刷処理と該印刷処理により該第1ジョブのデータが印刷されたシートに対する特定種類のシート処理とを要するジョブである場合に、
前記第１ジョブにて要するシート処理の実行中に前記第２ジョブにて要する印刷処理を前記印刷手段により実行可能にする、ことを特徴とする印刷システム。
【請求項４】
請求項１乃至３の何れか１項に記載の印刷システムであって、
前記制御手段は、
前記第１ジョブが、前記印刷手段による該第1ジョブのデータの印刷処理がなされた後に第１の特定種類のシート処理を要するジョブである場合で、且つ、前記第２ジョブが、前記印刷手段による該第２ジョブのデータの印刷処理がなされた後に前記第１の特定種類のシート処理を要さずに第２の特定種類のシート処理を要するジョブである場合に、
前記第１ジョブにて要するシート処理の実行中に前記第２ジョブにて要する印刷処理を前記印刷手段により実行可能にする、ことを特徴とする印刷システム。
【請求項５】
請求項１乃至４の何れか１項に記載の印刷システムであって、
前記制御手段は、
前記第１ジョブが、前記印刷手段による該第1ジョブのデータの印刷処理がなされた後に第１の特定種類のシート処理を要するジョブである場合で、且つ、前記第２ジョブが、前記印刷手段による該第２ジョブのデータの印刷処理がなされた後に前記第１の特定種類のシート処理を要さずに第２の特定種類のシート処理を要するジョブである場合に、
前記第１ジョブにて要するシート処理の実行中に前記第２ジョブにて要する印刷処理を前記印刷手段により実行させることを許可するが、
前記第１ジョブが、前記印刷手段による該第1ジョブのデータの印刷処理がなされた後に前記第１の特定種類のシート処理を要するジョブである場合で、且つ、前記第２ジョブが、前記印刷手段による該第２ジョブのデータの印刷処理がなされた後に前記第２の特定種類のシート処理を要さずに前記第１の特定種類のシート処理を要するジョブである場合に、
前記第１ジョブにて要するシート処理の実行中に前記第２ジョブにて要する印刷処理を前記印刷手段により実行させることを禁止する、ことを特徴とする印刷システム。
【請求項６】
請求項１乃至５の何れか１項に記載の印刷システムであって、
前記制御手段は、
前記第１ジョブが、前記印刷手段による該第1ジョブのデータの印刷処理がなされた後に第１の特定種類のシート処理を要するジョブである場合で、且つ、前記第２ジョブが、前記印刷手段による該第２ジョブのデータの印刷処理がなされた後に前記第１ジョブにて要する前記第１の特定種類のシート処理と同じ種類のシート処理を要するジョブではない場合に、
前記第１ジョブにて要するシート処理の実行中に前記第２ジョブにて要する印刷処理を前記印刷手段により実行可能にする、ことを特徴とする印刷システム。
【請求項７】
請求項１乃至６の何れか１項に記載の印刷システムであって、
前記制御手段は、
前記第１ジョブが、前記印刷手段による該第1ジョブのデータの印刷処理がなされた後に第１の特定種類のシート処理を要するジョブである場合で、且つ、前記第２ジョブが、前記印刷手段による該第２ジョブのデータの印刷処理がなされた後に前記第１ジョブにて要する前記第１の特定種類のシート処理と同じ種類のシート処理を要するジョブではない場合に、
前記第１ジョブにて要するシート処理の実行中に前記第２ジョブにて要する印刷処理を前記印刷手段により実行させることを許可するが、
前記制御手段は、
前記第１ジョブが、前記印刷手段による該第1ジョブのデータの印刷処理がなされた後に前記第１の特定種類のシート処理を要するジョブである場合で、且つ、前記第２ジョブが、前記印刷手段による該第２ジョブのデータの印刷処理がなされた後に前記第１ジョブにて要する前記第１の特定種類のシート処理と同じ種類のシート処理を要するジョブである場合に、
前記第１ジョブにて要するシート処理の実行中に前記第２ジョブにて要する印刷処理を前記印刷手段により実行させることを禁止する、ことを特徴とする印刷システム。
【請求項８】
請求項１乃至７の何れか１項に記載の印刷システムであって、
前記制御手段は、
前記第１ジョブが、前記印刷手段による該第1ジョブのデータの印刷処理がなされた後に第１の特定種類のシート処理を要するジョブである場合で、且つ、前記第２ジョブが、前記印刷手段による該第２ジョブのデータの印刷処理がなされた後に前記第１ジョブにて要する前記第１の特定種類のシート処理を実行するシート処理装置とは異なるシート処理装置によるシート処理を要するジョブである場合に、
前記第１ジョブにて要するシート処理の実行中に前記第２ジョブにて要する印刷処理を前記印刷手段により実行可能にする、ことを特徴とする印刷システム。
【請求項９】
請求項１乃至８の何れか１項に記載の印刷システムであって、
前記制御手段は、
前記第１ジョブが、前記印刷手段による該第1ジョブのデータの印刷処理がなされた後に第１の特定種類のシート処理を要するジョブである場合で、且つ、前記第２ジョブが、前記印刷手段による該第２ジョブのデータの印刷処理がなされた後に前記第１ジョブにて要する前記第１の特定種類のシート処理を実行するシート処理装置とは異なるシート処理装置によるシート処理を要するジョブである場合に、
前記第１ジョブにて要するシート処理の実行中に前記第２ジョブにて要する印刷処理を前記印刷手段により実行させることを許可するが、
前記制御手段は、
前記第１ジョブが、前記印刷手段による該第1ジョブのデータの印刷処理がなされた後に前記第１の特定種類のシート処理を要するジョブである場合で、且つ、前記第２ジョブが、前記印刷手段による該第２ジョブのデータの印刷処理がなされた後に前記第１ジョブにて要する前記第１の特定種類のシート処理を実行するシート処理装置と同じシート処理装置によるシート処理を要するジョブである場合に、
前記第１ジョブにて要するシート処理の実行中に前記第２ジョブにて要する印刷処理を前記印刷手段により実行させることを禁止する、ことを特徴とする印刷システム。
【請求項１０】
請求項１乃至９の何れか１項に記載の印刷システムであって、
前記制御手段は、
前記第１ジョブ及び前記第２ジョブを含む前記複数のジョブを受付けた場合で、且つ、前記第１ジョブにて要するシート処理が前記印刷システムにて実行中である場合に、前記第１ジョブにて要するシート処理に並行して前記第２ジョブにて要する印刷処理を前記印刷手段により実行することを許可し、
前記第１ジョブ及び前記第２ジョブを含む前記複数のジョブを受付けた場合で、且つ、前記第１ジョブにて要するシート処理が前記印刷システムにて実行中ではない場合に、前記第２ジョブにて要する印刷処理を前記印刷手段により開始することを禁止する、ことを特徴とする印刷システム。
【請求項１１】
請求項１乃至１０の何れか１項に記載の印刷システムであって、
前記印刷システムは、前記印刷手段から、前記印刷手段による印刷処理がなされたジョブのシートを、前記印刷手段で印刷がなされたジョブのシートに対するシート処理を実行可能なシート処理手段を具備する第１シート処理装置と第２シート処理装置を含む複数のシート処理装置へ、供給可能な印刷システムであり、
前記制御手段は、
前記複数のシート処理装置に関わる情報に基いて、前記第１ジョブ及び第２ジョブを含む前記印刷装置により処理対象となる複数ジョブの印刷実行のタイミングを制御する、ことを特徴とする印刷システム。
【請求項１２】
請求項１乃至１１の何れか１項に記載の印刷システムであって、
前記印刷システムは、
前記印刷手段から、前記印刷手段による印刷処理がなされたジョブのシートを、前記印刷手段で印刷がなされたジョブのシートに対するシート処理を実行可能なシート処理手段を具備する第１シート処理装置と第２シート処理装置を含む複数のシート処理装置へ、供給可能な印刷システムであり、
前記制御手段は、
処理対象となる前記第１ジョブが、前記印刷手段による印刷処理がなされたうえで前記第１のシート処理装置が具備するシート処理手段によるシート処理を要する第１タイプのジョブに該当するジョブであり、且つ、前記第１ジョブの後に受付けた前記第２ジョブが、前記印刷手段による印刷処理がなされたうえで前記第２のシート処理装置が具備するシート処理手段によるシート処理を要する第２タイプのジョブに該当するジョブである場合に、前記第１ジョブにて要するシート処理が前記第１シート処理装置の前記シート処理手段により完了する前に、前記第２ジョブにて要する印刷処理を前記印刷手段により実行可能にする、ことを特徴とする印刷システム。
【請求項１３】
請求項１乃至１２の何れか１項に記載の印刷システムであって、
前記印刷システムは、
前記印刷手段から、前記印刷手段で印刷処理がなされたジョブの１束分のシートを製本するにあたり糊付け処理を要する糊付け製本処理を実行可能な糊付け製本手段を具備する第１シート処理装置の前記糊付け製本手段へ、前記印刷手段による印刷処理がなされたジョブのシートを供給可能であり、且つ、
前記印刷手段から、前記印刷手段で印刷処理がなされたジョブのシートを複数枚積載可能な積載手段を具備する第２シート処理装置の前記積載手段へ、前記印刷手段による印刷処理がなされたジョブのシートを供給可能であり、
前記制御手段は、
前記印刷装置による処理対象の前記第１ジョブが、前記第１シート処理装置の前記糊付け製本手段による糊付け製本処理を要する第１タイプのジョブに該当するジョブであり、且つ、前記印刷装置による処理対象の前記第２ジョブが、前記第２シート処理装置の前記積載手段による積載処理を要する第２タイプのジョブに該当するジョブである場合に、前記第１ジョブにて要する糊付け処理が前記第１シート処理装置の前記糊付け製本手段により完了する前に、前記第２ジョブにて要する印刷処理を前記印刷手段により実行可能にする、ことを特徴とする印刷システム。
【請求項１４】
請求項１乃至１３の何れか１項に記載の印刷システムであって、
前記印刷システムは、
前記印刷手段から、前記印刷手段による印刷処理がなされたジョブのシートを、前記印刷手段で印刷がなされたジョブのシートに対するシート処理を実行可能なシート処理手段を具備する第１シート処理装置と第２シート処理装置を含む複数のシート処理装置へ、供給可能な印刷システムであり、
前記制御手段は、
処理対象となる前記第１ジョブが、前記印刷手段による印刷処理がなされたうえで前記第１のシート処理装置が具備する前記シート処理手段によるシート処理を要する第１タイプのジョブに該当するジョブであり、且つ、前記第１ジョブの後に受付けた前記第２ジョブが、前記印刷手段による印刷処理がなされたうえで前記第２のシート処理装置が具備するシート処理手段によるシート処理を要する第２タイプのジョブに該当するジョブである場合に、前記第１シート処理装置が具備する前記シート処理手段による前記第１ジョブにて要するシート処理の完了前に前記第２ジョブにて要する印刷処理を前記印刷手段により開始することを許可し、
処理対象となる前記第１ジョブが前記第２タイプのジョブに該当するジョブではなく前記第１タイプのジョブに該当するジョブであり、且つ、前記第１ジョブの後に受付けた前記第２ジョブが前記第２タイプのジョブに該当するジョブではなく前記第１タイプのジョブに該当するジョブである場合に、
前記第１シート処理装置が具備する前記シート処理手段による前記第１ジョブにて要するシート処理の完了前に前記第２ジョブにて要する印刷処理を前記印刷手段により開始することを禁止する、ことを特徴とする印刷システム。
【請求項１５】
請求項１乃至１４の何れか１項に記載の印刷システムであって、
前記制御手段は、
前記印刷システムにて複数台のシート処理装置が利用可能な場合に、前記第１ジョブにて要するシート処理が前記印刷システムにて実行中に前記第２ジョブにて要する印刷処理を前記印刷手段により実行することを許可し、
前記印刷システムにて複数台のシート処理装置が利用不可の場合に、前記第１ジョブにて要するシート処理が前記印刷システムにて実行中に前記第２ジョブにて要する印刷処理を前記印刷手段により実行することを禁止する、ことを特徴とする印刷システム。
【請求項１６】
請求項１乃至１５の何れか１項に記載の印刷システムであって、
前記制御手段は、
前記印刷システムにて複数種類のシート処理が実行可能な場合に、前記第１ジョブにて要するシート処理が前記印刷システムにて実行中に前記第２ジョブにて要する印刷処理を前記印刷手段により実行することを許可し、
前記印刷システムにて複数種類のシート処理が実行不可能の場合に、前記第１ジョブにて要するシート処理が前記印刷システムにて実行中に前記第２ジョブにて要する印刷処理を前記印刷手段により実行することを禁止する、ことを特徴とする印刷システム。
【請求項１７】
請求項１乃至１６の何れか１項に記載の印刷システムであって、
前記印刷システムは、
前記印刷手段から、前記印刷手段による印刷処理がなされたジョブのシートを、前記印刷手段で印刷がなされたジョブのシートに対するシート処理を実行可能なシート処理手段を具備する第１シート処理装置と第２シート処理装置を含む複数のシート処理装置へ供給可能な印刷システムであり、且つ、
前記印刷手段による印刷処理がなされたジョブにて要するシート処理を前記第１シート処理装置が具備する前記シート処理手段にて実行するにあたり、前記印刷手段により印刷がなされた該ジョブのシートを、前記第２シート処理装置を経由して、前記印刷手段から前記第１シート処理装置へ供給可能な印刷システムであり、
前記制御手段は、
前記処理対象となる前記第２ジョブが、前記第１シート処理装置によるシート処理を要せず且つ前記第２シート処理装置によるシート処理を要するジョブに該当するジョブである場合に、前記第１ジョブにて要するシート処理が前記印刷システムにて実行中に前記第２ジョブにて要する印刷処理を前記印刷手段により実行することを許可し、
前記処理対象となる前記第２ジョブが、前記第１シート処理装置によるシート処理を要するジョブに該当するジョブである場合に、前記第１ジョブにて要するシート処理が前記印刷システムにて実行中に前記第２ジョブにて要する印刷処理を前記印刷手段により実行することを禁止する、ことを特徴とする印刷システム。
【請求項１８】
請求項１乃至１７の何れか１項に記載の印刷システムであって、
前記制御手段は、
前記第１、第２ジョブの他に処理対象となるジョブとして第３ジョブを受付けた場合で且つ、前記第３ジョブが予め設定された条件を満たすジョブに該当するジョブである場合に、前記第２ジョブの印刷処理の実行は禁止した状態で、前記第１ジョブにて要するシート処理が前記印刷システムにて実行中に前記第３ジョブにて要する印刷処理を前記印刷手段により実行可能にする、ことを特徴とする印刷システム。
【請求項１９】
請求項１乃至１８の何れか１項に記載の印刷システムであって、
前記制御手段は、
前記印刷システムの装置構成情報、及び、前記印刷システムにて処理対象となる複数のジョブの各ジョブにて要するシート処理に関する情報、の少なくとも何れかの情報を含む、前記第１ジョブにて要するシート処理の実行に並行して前記第２ジョブにて印刷処理を実行するかの実行可否を決定するのに要する情報に基いて、前記第１ジョブにて要するシート処理の実行に並行して前記第２ジョブにて印刷処理を実行することを許可する、ことを特徴とする印刷システム。
【請求項２０】
請求項１乃至１９の何れか１項に記載の印刷システムであって、
前記制御手段は、
処理対象となるジョブの印刷実行要求及び該ジョブにて要するシート処理の実行要求を、前記印刷装置自身が具備するユーザインタフェース手段の表示部を介して、ユーザから受付可能にする、ことを特徴とする印刷システム。
【請求項２１】
請求項１乃至２０の何れか１項に記載の印刷システムであって、
前記制御手段は、
処理対象となるジョブの印刷実行要求及び該ジョブにて要するシート処理の実行要求を、前記印刷装置に対してデータ送信可能なコンピュータが具備するユーザインタフェース手段の表示部を介して、ユーザから受付可能にする、ことを特徴とする印刷システム。
【請求項２２】
請求項１乃至２１の何れか１項に記載の印刷システムであって、
前記制御手段は、
印刷対象となるデータが原稿読取手段を介して前記記憶手段に記憶されたジョブにて要する印刷処理を、該ジョブに先行して前記印刷装置にて印刷処理がなされたジョブのシート処理に並行して、前記印刷手段により実行可能にする、ことを特徴とする印刷システム。
【請求項２３】
請求項１乃至２２の何れか１項に記載の印刷システムであって、
前記制御手段は、
前記印刷装置に印刷データを送信可能なホストコンピュータのユーザ操作によるプリンタドライバの起動指示により該ホストコンピュータの表示部に表示可能な印刷設定画面を介してシート処理の実行要求がなされたジョブにて要する印刷処理を、該ジョブに先行して前記印刷装置にて印刷処理がなされたジョブのシート処理に並行して、前記印刷手段により実行可能にする、ことを特徴とする印刷システム。
【請求項２４】
請求項１乃至２３の何れか１項に記載の印刷システムであって、
前記制御手段は、
前記印刷装置の印刷手段で印刷処理がなされたジョブのシートに対するシート処理として、ステイプル処理、パンチ処理、くるみ製本処理、天糊製本処理、中綴じ製本処理、シートの大量積載処理、断裁処理、の少なくとも何れかを含む複数種類のシート処理を前記印刷システムが具備するシート処理装置により実行可能にする、ことを特徴とする印刷システム。
【請求項２５】
請求項１乃至２４の何れか１項に記載の印刷システムであって、
前記制御手段は、
ユーザインタフェース手段を介して特定の要求をユーザから受付けた場合に、
前記第１ジョブにて要するシート処理が前記印刷システムにて実行中であり且つ前記第２ジョブにて要するシート処理が前記第１ジョブにて要するシート処理とは異なるシート処理であっても、前記第２ジョブにて要する印刷処理を前記印刷手段により実行させずに、前記第１ジョブにて要するシート処理の実行後に、前記第２ジョブにて要する印刷処理を、前記印刷手段により実行可能にする、ことを特徴とする印刷システム。
【請求項２６】
請求項１乃至２５の何れか１項に記載の印刷システムであって、
前記制御手段は、
前記印刷システムにて処理対象となる複数のジョブの処理状況を示す表示をリスト形式でユーザインタフェース手段に表示させるにあたり、シート処理が実行中のジョブはシート処理が実行中である事をユーザにより確認可能にし、印刷処理が実行中のジョブは印刷処理が実行中である事をユーザにより確認可能にした表示形態でもって、該複数のジョブの処理条件を示す表示を、前記ユーザインタフェース手段により実行させる、ことを特徴とする印刷システム。
【請求項２７】
請求項１乃至２６の何れか１項に記載の印刷システムであって、
前記制御手段は、
ユーザインタフェース手段を介してユーザから受付けた、前記印刷システムが具備する複数台のシート処理装置が如何なる順番で前記印刷装置に接続されているかを特定するのに要するシステム構成情報に基いて、前記第１ジョブにて要するシート処理に並行して前記第２ジョブにて要する印刷処理を前記印刷手段により実行させるか否かを決定可能にする、ことを特徴とする印刷システム。
【請求項２８】
請求項１乃至２７の何れか１項に記載の印刷システムであって、
前記制御手段は、
シート処理装置が前記印刷装置に接続された場合に該シート処理装置から獲得する、前記印刷システムが具備する複数台のシート処理装置が如何なる順番で前記印刷装置に接続されているかを特定するのに要するシステム構成情報に基いて、前記第１ジョブにて要するシート処理に並行して前記第２ジョブにて要する印刷処理を前記印刷手段により実行させるか否かを決定可能にする、ことを特徴とする印刷システム。
【請求項２９】
請求項１乃至２８の何れか１項に記載の印刷システムであって、
前記制御手段は、
前記第１ジョブ及び前記第２ジョブが、共に、
前記印刷装置からのシートをオペレータによる介入作業無しに受容可能であり且つ他装置とデータ通信可能なインラインタイプのシート処理装置、及び、
前記印刷装置からのシートをオペレータによる介入作業無しに受容不可であり且つ他装置とデータ通信可能なニアラインタイプのシート処理装置、及び、
前記印刷装置からのシートをオペレータによる介入作業無しに受容不可であり且つ他装置とデータ通信不可のオフラインタイプのシート処理装置、のうちの、
前記インラインタイプのシート処理装置によるシート処理を要するジョブに該当するジョブである場合に、前記第１ジョブにて要するシート処理に並行して前記第２ジョブにて要する印刷処理を前記印刷手段により実行可能にする、ことを特徴とする印刷システム。
【請求項３０】
請求項１乃至２９の何れか１項に記載の印刷システムであって、
前記制御手段は、
前記第１ジョブにて要するシート処理の実行中に前記第２ジョブにて要する印刷処理の実行を禁止する場合でも、前記第１ジョブにて要するシート処理の実行中に前記第２ジョブにて要する印刷処理の実行を許可する場合でも、前記第２ジョブの後に印刷実行要求を受付けた第３ジョブの印刷データの前記記憶手段に対する記憶動作を実行可能にする、ことを特徴とする印刷システム。
【請求項３１】
請求項１乃至３０の何れか１項に記載の印刷システムであって、
前記制御手段は、
前記第１ジョブにて要するシート処理の実行中に前記第２ジョブにて要する印刷処理の実行を禁止する場合に、前記第１ジョブと第２ジョブの前記印刷装置における印刷順序を変更して、前記第２ジョブにて要するシート処理の実行中に前記第１ジョブにて要する印刷処理を前記印刷手段により実行可能にする、ことを特徴とする印刷システム。
【請求項３２】
請求項１乃至３１の何れか１項に記載の印刷システムであって、
前記制御手段は、
前記印刷システムが第１シート処理装置及び第２シート処理装置及び第３シート処理装置の３台のシート処理装置を具備している場合に、
前記第１シート処理装置による前記第１ジョブにて要するシート処理と、前記第２シート処理装置による前記第２ジョブにて要するシート処理と、前記第２ジョブに後続する第３ジョブにて要する前記印刷手段による印刷処理とを、前記印刷システムにて同時に実行可能にする、ことを特徴とする印刷システム。
【請求項３３】
請求項１乃至３２の何れか１項に記載の印刷システムであって、
前記制御手段は、
前記印刷システムのシステム構成が、
自装置によるシート処理がなされた印刷物を自装置のシート保持手段で保持する第１シート処理装置と第２シート処理装置のうちの前記第２シート処理装置の内部へ、前記第１シート処理装置を介して、前記印刷手段からのシートを供給可能なシステム構成である場合で、且つ、
前記第１ジョブが、
前記第２シート処理装置によるシート処理を要する場合に、
前記第２シート処理装置による前記第１ジョブのシート処理の実行中に、前記第２ジョブにて要する印刷処理を前記印刷手段により開始可能にする、ことを特徴とする印刷システム。
【請求項３４】
請求項１乃至３３の何れか１項に記載の印刷システムであって、
前記印刷システムのシステム構成が、
自装置によるシート処理がなされた印刷物を自装置のシート保持手段で保持する第１シート処理装置と第２シート処理装置のうちの前記第２シート処理装置の内部へ、前記第１シート処理装置を介して、前記印刷手段からのシートを供給可能なシステム構成である場合で、且つ、
前記第１ジョブが、
前記第２シート処理装置によるシート処理を要するジョブの場合において、
前記第２シート処理装置による前記第１ジョブにて要するシート処理の実行中に前記第２シート処理装置にて当該第１ジョブにて要するシート処理の中断要因が発生した場合でも、
前記制御手段は、
前記第２ジョブが、
前記第１シート処理装置によるシート処理を要するジョブである場合に、前記第２シート処理装置における前記第１ジョブにて要するシート処理の中断要因が未解除の期間中に前記第２ジョブにて要する印刷処理を前記印刷手段により開始させることを許可する、ことを特徴とする印刷システム。
【請求項３５】
複数のジョブのデータを記憶可能な記憶手段内のデータの印刷処理を実行可能な印刷手段を具備する印刷装置の前記印刷手段から、前記印刷手段で印刷がなされたジョブのシートに対するシート処理を実行可能なシート処理手段を具備するシート処理装置の前記シート処理手段へ、前記印刷手段による印刷処理がなされたジョブのシートを供給可能な印刷システムのジョブ処理方法であって、
前記印刷手段による印刷処理を要し且つ該印刷処理により印刷がなされたシートに対するシート処理を要する、第１ジョブの後に受付けた第２ジョブを含む、複数のジョブを受付けた場合で、且つ、前記第１ジョブにて要するシート処理が前記印刷システムにて実行中である場合に、前記第２ジョブにて要する印刷処理を前記印刷手段により実行可能にする、ことを特徴とするジョブ処理方法。
【請求項３６】
コンピュータを、請求項１乃至３４の何れか１項に記載の印刷システムが具備する各手段として機能させる為のコンピュータプログラム。
【手続補正２】
【補正対象書類名】明細書
【補正対象項目名】発明の名称
【補正方法】変更
【補正の内容】
【発明の名称】印刷システム、ジョブ処理方法、コンピュータプログラム
【手続補正３】
【補正対象書類名】明細書
【補正対象項目名】０００１
【補正方法】変更
【補正の内容】
【０００１】
本発明は、複数のジョブを受付け可能な印刷システム、ジョブ処理方法、コンピュータプログラムに関するものである。
【手続補正４】
【補正対象書類名】明細書
【補正対象項目名】００１４
【補正方法】変更
【補正の内容】
【００１４】
そこで、本発明は、上記課題に鑑みてなされたものであり、オフィス環境に留まらずＰＯＤ環境にも適応可能な便利な印刷システム、ジョブ処理方法、コンピュータプログラムを提供可能にする。
【手続補正５】
【補正対象書類名】明細書
【補正対象項目名】００１７
【補正方法】変更
【補正の内容】
【００１７】
上記目的の為、複数のジョブのデータを記憶可能な記憶手段内のデータの印刷処理を実行可能な印刷手段を具備する印刷装置の前記印刷手段から、前記印刷手段で印刷がなされたジョブのシートに対するシート処理を実行可能なシート処理手段を具備するシート処理装置の前記シート処理手段へ、前記印刷手段による印刷処理がなされたジョブのシートを供給可能な印刷システムであって、
前記印刷手段による印刷処理を要し且つ該印刷処理により印刷がなされたシートに対するシート処理を要する、第１ジョブの後に受付けた第２ジョブを含む複数のジョブを受付けた場合で、且つ、前記第１ジョブにて要するシート処理が前記印刷システムにて実行中である場合に、前記第２ジョブにて要する印刷処理を前記印刷手段により実行可能にする。